【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
予め定められた外周および長さの容器のためのホルダであって、予め定められた場所で締結具とつながる複数の取付け点を用いて、該容器を中に保持し、それによって、該容器が、いかなるホスト装置、ベルト又はハーネス・システムへのその直接の、固定された、ユーザに水平である着脱を可能にするように該ホルダ内で保持される、ホルダ。
【請求項２】
前記ホルダの前記材料が、分離している空間により提供されるように該ホルダ内で前記容器を保持するのに十分な圧力を提供するために半剛性であり、それによって該ホルダは該容器に対して圧力を維持する、請求項１のホルダ。
【請求項３】
複数のバンドが、前記ホルダの外周を囲んでいる弾性材料で構成された該ホルダ内で前記容器を保持するように十分な圧力を提供するために該ホルダを囲み、それによって該材料が、該ホルダ、及び、該ホルダと該容器との間に挟まれたゴムバンドに対して収縮圧の一定の供給源を作成する、請求項２のホルダ。
【請求項４】
複数の目のブラケットは、ホルダ・バンドの目のブラケットとつながる複数のストラップ通しボルトでつながり、それによって前記ホルダは、いかなるホスト装置、ベルト又はハーネス・システムへの直接の着脱が可能になる、請求項２のホルダ。
【請求項５】
各々が締結具と通じる、請求項４のストラップ。
【請求項６】
前記締結具と関連した前記ストラップの固定及び調整を提供するため、クロスバーによって分離した一連の空間から構成されている単一の非機械的な構成要素を通すことによって、各々が締結具と通じる、請求項４のストラップ。
【請求項７】
各々が、複数の分離可能な構成要素を含む解放バックルとつながり、それによって該解放バックルは、放される場合に前記締結具の相互連絡によりユーザとつながったままであり、該締結具は前記ストラップの相互連絡により前記ホルダにとどまる、請求項４のストラップ。
【請求項８】
前記ホルダの材料が、該ホルダ内で前記容器を保持するために十分な圧力を提供する弾力的、合成的又は天然の生地のような材料であり、それによって該容器は、いかなるホスト装置、ベルト又はハーネス・システムへのその直接の、固定された、ユーザに水平である着脱を可能にするように該ホルダ内で保持される、請求項１のホルダ。
【請求項９】
複数のバンドが、前記ホルダ内で前記容器を保持する圧力を提供するために該ホルダを囲む、請求項８の保持材料。
【請求項１０】
複数のストラップが前記バンドとつながる、請求項９のバンド。
【請求項１１】
前記締結具と関連した前記ストラップの固定及び調整を提供するため、クロスバーにより分離した一連の空間から構成されている単一の非機械的な構成要素を通すことによって、各々が締結具と通じる、請求項１０のストラップ。
【請求項１２】
各々が、複数の分離可能な構成要素で構成される解放バックルとつながる、請求項１０のストラップ。
【請求項１３】
一つの分離可能な構成要素がユーザとつながる締結具とつながる、請求項１２の解放バックル。
【請求項１４】
前記締結具が、直接の、固定された、ユーザに水平ないかなるホスト装置、ベルト又はハーネス・システムへの着脱を可能にする構成要素で構成される、請求項１の締結具。
【請求項１５】
一つの構成要素が前記ユーザへの前記締結具の取付けを提供する、請求項１４の締結具。
【請求項１６】
前記第２の構成要素は、（ａ）複数の矩形の空間を含み、（ｂ）複数のクロスバー部材によって分離され、（ｃ）前記ストラップが前記締結具と関連して該ストラップを通じさせ、調整するため、該クロスバー部材の間および周辺で前記空間により貫通される、単一の、非機械的な構成要素である、請求項１４の締結具。
【請求項１７】
ストラップまたはウエブが、開閉位置間を関節でつなぐ上部および下部クラムシェルを貫通し、該ストラップまたはウエブは、開閉に関わらず、該クラムシェル内のその内部の位置を保持する、請求項１の締結具。
【請求項１８】
（ａ）閉じている時に前記締結具と関連して前記ストラップを制御し、（ｂ）開いている時に該ストラップを解放し、該クラムシェルと関連して該ストラップの内部の位置を保持する、予め定められた幅の予め定められた数の歯を含む、請求項１７の上部および下部クラムシェル。
【請求項１９】
前記ストラップ又はウエブが、予め定められた幅の予め定められた数の歯を含む外側のクロスバー部材の上、及び、中心の該クロスバー部材の下において、単一の非機械的な構成要素の３つのクロスバー部材間で貫通される、請求項１の締結具。
【請求項２０】
スナップ装置との連絡点を提供するため、予め定められた角度で前記締結具から突出する半円の形状に近い構成要素を組み込む、請求項１の締結具。
【請求項２１】
スナップ装置、バックル、アジャスタ、コネクタ、コード、ライン又は管との連絡点を提供するため、その全幅にわたって片側が部分的に開き、予め定められた角度で前記締結具から延長する矩形型の要素を組み込む、請求項１の締結具。
【請求項２２】
前記ストラップ又はウエブが、予め定められた幅の予め定められた数の歯を含む前記外側のクロスバー部材の上、及び、前記中心のクロスバー部材の下において、単一の非機械的な構成要素の３つのクロスバー部材間で貫通される、請求項１の締結具。
【請求項２３】
前記外面のクロスバー部材の開放端が、前記中心クロスバー部材の端部とつながるために閉じてもよい、請求項２の締結具。
【請求項２４】
スナップ又はクリップ装置との連絡点を提供するため、予め定められた角度で前記締結具から突出する円形型の要素を組み込む、請求項１の締結具。
【請求項２５】
スナップ装置、バックル、アジャスタ、コネクタ、コード、ライン又は管との連絡点を提供するため、その全幅にわたって片側が部分的に開き、予め定められた角度で前記締結具から延長する円形型の要素を組み込む、請求項１の締結具。
【請求項２６】
（ａ）容器を保持するのに適切な材料および十分な強度、外周及び長さでできているホルダと；（ｂ）該ホルダ内で該容器を保持し、該ホルダをホスト装置、ベルト又はハーネス・システムに取り付ける複数の（ｃ）締結具と通じるのに十分な圧力で、該ホルダ及び該容器を囲むストラップと；を含み、それによって該容器を保持する該ホルダが容易に取付けられ、使用され、運搬され、分離され、移動されるような、固定されてユーザの容器に水平に取付けられ、使用され、運搬され、移動される方法。
【請求項２７】
前記締結具が、（ａ）該締結具と関連して前記ストラップの連絡及び調整を提供する複数のクロスバーの上及び周りを複数の空間で貫くことによって該ストラップに一端で通じ、（ｂ）スナップ装置を含む対向する端で通じ、それによって前記容器を保持する前記ホルダが容易に取付けられ、使用され、運搬され、分離され、移動される、請求項２５の方法。
【請求項２８】
前記締結具が着脱可能な構成要素で構成される解放バックルの仲介的な挿入で前記ストラップとつながり、（ａ）着脱可能な構成要素が該ストラップとつながり、（ｂ）着脱可能な構成要素が該締結具とつながり、それによって該着脱可能な構成要素は、前記ユーザとつながる該締結具から、前記容器及び前記ホルダを放すために容易に分離される、請求項２６の方法。
【手続補正２】
【補正対象書類名】図面
【補正対象項目名】図１８Ａ
【補正方法】変更
【補正の内容】
【図１８Ａ】
2011530389.tif 000001
【手続補正３】
【補正対象書類名】図面
【補正対象項目名】図１８Ｂ
【補正方法】変更
【補正の内容】
【図１８Ｂ】
2011530389.tif 000002
【手続補正４】
【補正対象書類名】図面
【補正対象項目名】図１８Ｃ
【補正方法】変更
【補正の内容】
【図１８Ｃ】
2011530389.tif 000003
【手続補正５】
【補正対象書類名】図面
【補正対象項目名】図１８Ｄ
【補正方法】変更
【補正の内容】
【図１８Ｄ】
2011530389.tif 000004
【手続補正６】
【補正対象書類名】図面
【補正対象項目名】図１８Ｅ
【補正方法】追加
【補正の内容】
【図１８Ｅ】
2011530389.tif 000005
【手続補正７】
【補正対象書類名】図面
【補正対象項目名】図１８Ｆ
【補正方法】追加
【補正の内容】
【図１８Ｆ】
2011530389.tif 000006